(57)【特許請求の範囲】
【請求項１】
秘匿されるべき情報を漏洩から護ると共に、偽造や改竄による不正防止機能を備えた情報保護ラベルであって、
ラベル基材，剥離剤が部分的に形成された部分剥離剤層，偽造防止手段形成層，同一平面上に並べて形成された第一の粘着剤層及び第二の粘着剤層，剥離紙がこの順に積層され、
前記第二の粘着剤層は前記第一の粘着剤層の周辺に形成され、
前記部分剥離剤層は前記第二の粘着剤層と重なる位置に形成され、
前記第二の粘着剤層の粘着力が、前記第一の粘着剤層の粘着力より強く設定されたことを特徴とする情報保護ラベル。
【請求項２】
請求項１に記載の情報保護ラベルにおいて、
同一平面上に並べて形成された前記第一の粘着剤層及び前記第二の粘着剤層と、前記剥離紙との間に、透過性基材及び第三の粘着剤層がこの順に積層され、
前記第三の粘着剤層の粘着力が、前記第二の粘着剤層の粘着力より強く設定されたことを特徴とする情報保護ラベル。
【請求項３】
請求項１又は２に記載の情報保護ラベルにおいて、
前記第一の粘着剤層は秘匿されるべき情報の表面に位置するように形成されたことを特徴とする情報保護ラベル。
【請求項４】
請求項１〜３の何れか一項に記載の情報保護ラベルにおいて、
前記偽造防止手段形成層は、脆性を有し、光回折構造が形成されたことを特徴とする情報保護ラベル。
【発明の詳細な説明】
【技術分野】
【０００１】
本発明は、秘匿されるべき情報を漏洩から護ると共に、偽造や改竄による不正防止機能を備えた情報保護ラベルに関する。
【背景技術】
【０００２】
従来、印字、または、印刷によって表示された情報を漏洩や、改竄から護るためにさまざまな方法や、対応媒体が提供されている。
その一つに、スクラッチインキによる情報の秘匿方法がある。
この方法は、例えばスクラッチ籤のように、スクラッチインキで印刷された部分を削り取ってインキの下に印刷されている文字や、数字を表出し、当たり外れを判定するものである。
また、複数枚の透明フィルムを積層した積層フィルムラベルをプリンタや、印刷によって表示した文言や、数字の上から貼付して情報を秘匿する方法がある。
この方法は、透明なフィルムの間で剥離させ、文字や、数字を可視状態にするものである。
そこで、被着体に形成された情報を隠すために当該被着体に貼り合わされるラベルであって、基材の内面側に脆質層を有した層を形成し、情報を覆う部分は非接着状態にするとともに、その非接着部分の両側に間隔を置いて破断線を設けた情報隠蔽ラベルが提供されている（例えば、特許文献１参照）。
【０００３】
【特許文献１】特開２００２−５５６１８号公報
【発明の開示】
【発明が解決しようとする課題】
【０００４】
スクラッチインキによる方法は、最表面がスクラッチ層であるためこすれに対して弱く、剥がす前にプリンタや、印刷によって表示した文字や、数字が見えてしまうという欠点がある。また、積層フィルムラベルの場合は、ラベルを剥がし、情報を盗み見した後で、接着剤によって再接着させて証拠を隠蔽することができ、秘匿されるべき情報が漏洩し、悪用される危険性がある。
また、特許文献１に記載されている技術は、隠蔽ラベル自体の偽造防止性が不十分で、同様の外観をもつ偽造，模造，変造品が容易に製造される危険性がある。
【課題を解決するための手段】
【０００５】
前記課題を解決するために、本発明の請求項１に記載の情報保護ラベルは、秘匿されるべき情報を漏洩から護ると共に、偽造や改竄による不正防止機能を備えた情報保護ラベルであって、ラベル基材，剥離剤が部分的に形成された部分剥離剤層，偽造防止手段形成層，同一平面上に並べて形成された第一の粘着剤層及び第二の粘着剤層，剥離紙がこの順に積層され、前記第二の粘着剤層は前記第一の粘着剤層の周辺に形成され、前記部分剥離剤層は前記第二の粘着剤層と重なる位置に形成され、前記第二の粘着剤層の粘着力が、前記第一の粘着剤層の粘着力より強く設定されたことを特徴とするものである。
【０００６】
また、請求項２に記載の発明は、請求項１に記載の情報保護ラベルにおいて、同一平面上に並べて形成された前記第一の粘着剤層及び前記第二の粘着剤層と、前記剥離紙との間に、透過性基材及び第三の粘着剤層がこの順に積層され、前記第三の粘着剤層の粘着力が、前記第二の粘着剤層の粘着力より強く設定されたことを特徴とするものである。
【０００７】
また、請求項３に記載の発明は、請求項１又は２に記載の情報保護ラベルにおいて、前記第一の粘着剤層は秘匿されるべき情報の表面に位置するように形成されたことを特徴とするものである。
【０００８】
また、請求項４に記載の発明は、請求項１〜３の何れか一項に記載の情報保護ラベルにおいて、前記偽造防止手段形成層は、脆性を有し、光回折構造が形成されたことを特徴とするものである。
【発明の効果】
【０００９】
１）請求項１に記載のように、秘匿されるべき情報を漏洩から護ると共に、偽造や改竄による不正防止機能を備えた情報保護ラベルであって、ラベル基材，剥離剤が部分的に形成された部分剥離剤層，偽造防止手段形成層，同一平面上に並べて形成された第一の粘着剤層及び第二の粘着剤層，剥離紙がこの順に積層され、前記第二の粘着剤層は前記第一の粘着剤層の周辺に形成され、前記部分剥離剤層は前記第二の粘着剤層と重なる位置に形成され、前記第二の粘着剤層の粘着力が、前記第一の粘着剤層の粘着力より強く設定されたことによって、情報保護ラベルを被着体に貼付した後、ラベル基材を被着体から剥がしたときに、第二の粘着剤層及び第二の粘着剤層部分の偽造防止手段形成層は被着体側に残り、第一の粘着剤及び第一の粘着剤部分の偽造防止手段形成層はラベル基材とともに被着体から剥がされるため、被着体の情報保護ラベル貼付箇所を部分的に目視可能状態とすることができ、その周辺が偽造防止構造になっていることによって、偽造や改竄による不正防止対策が講じられた情報保護ラベルとすることができる。
２）また、請求項２に記載のように、請求項１に記載の情報保護ラベルにおいて、同一平面上に並べて形成された前記第一の粘着剤層及び前記第二の粘着剤層と、前記剥離紙との間に、透過性基材及び第三の粘着剤層がこの順に積層され、前記第三の粘着剤層の粘着力が前記第二の粘着剤層の粘着力より強く設定されたことによって、ラベル基材を引き剥がして、第一の粘着剤層及び第一の粘着剤層部分の偽造防止手段形成層がラベル基材とともに被着体から剥がされた後でも第三の粘着剤層とともに透過性基材が残るため、目視可能となる部分を摩擦や汚れなどから保護することができる。
３）また、請求項３に記載のように、請求項１又は２に記載の情報保護ラベルにおいて、前記第一の粘着剤層は秘匿されるべき情報の表面に位置するように形成されたことによって、情報保護ラベルを秘匿されるべき情報表示部分に貼付して情報を秘匿した後、再びその情報を目視できるようにラベル基材を引き剥がすことができる。
４）また、請求項４に記載のように、請求項１〜３の何れか一項に記載の情報保護ラベルにおいて、偽造防止手段形成層は、脆性を有し、光回折構造が形成されたことによって、貼付された情報保護ラベルを被着体から剥がして秘匿されるべき情報などの目視可能となる部分を覗き見されて貼りなおされた場合は、明らかな証拠が残り対策を講じることができる。
【発明を実施するための最良の形態】
【００１０】
以下、図面を参照して本実施の形態の情報保護ラベルについて詳細に説明する。
情報保護ラベルは、剥離紙を剥がした後の状態をいうが、本実施の形態の、以下の説明では剥離紙を伴った状態の場合も情報保護ラベルという。
図１は、情報保護ラベルの層構成の一例について説明するための図，図２は、情報保護ラベルの層構成の他の一例について説明するための図，図３は、情報保護ラベルが商品などに貼付された状態の一例について説明するための図，図４は、図３のＡ−Ａ線断面の一例について説明するための図，図５は、図３のＡ−Ａ線断面の他の一例について説明するための図，図６は、はがきに貼付された情報保護ラベルの一例について説明するための図，図７は、図６のＢ−Ｂ線断面の一例について説明するための図，図８は、図６のＢ−Ｂ線断面の他の一例について説明するための図，図９は、図４の状態から秘匿されるべき情報を表出した状態について説明するための図，図１０は、図５の状態から秘匿されるべき情報を表出した状態について説明するための図，である。
【００１１】
図１と図９を参照して、情報保護ラベルの層構成の一例について説明する。
図９は、図１の情報保護ラベル１の剥離紙を剥がして粘着剤層を露出し、印字ラベル２０の秘匿されるべき印字情報（秘匿されるべき情報）２１の上に貼付した後、ラベル基材１１を剥がして秘匿されるべき情報を表出した場合の断面図である。
情報保護ラベル１は、断面図の上部から、ラベル基材１１，剥離剤が部分的に形成された部分剥離剤層１２，偽造防止手段形成層１３，同一平面上に並べて形成された第一の粘着剤層１４及び第二の粘着剤層１５，剥離紙１６が積層されている。
ラベル基材１１は、紙や、プラスチック等による薄いシートで、通常不透明な材料が使用され、部分剥離剤層１２，偽造防止手段形成層１３，同一平面上に並べて形成された第一の粘着剤層１４及び第二の粘着剤層１５、の支持基材となっている。
図９に示すように、情報保護ラベル１を印字ラベル２０に貼付した後、ラベル基材１１を印字ラベル２０から剥がした時に、偽造防止手段形成層１３が、左右に形成された部分剥離剤層１２の部分でラベル基材１１から剥離して印字ラベル２０側に残り、剥離剤が塗布されていない部分の偽造防止手段形成層１３と、第一の粘着剤層１４を伴って、ラベル基材１１が印字ラベル２０から剥離するようになっている。
その結果、印字ラベル２０には第二の粘着剤層１５とその上部に積層された偽造防止手段形成層１３が残され、秘匿されるべき印字情報２１が表出する状態になる。
このような状態とするために、第二の粘着剤層１５の粘着力を強くし、第一の粘着剤層１４の粘着力を弱く調整して、第二の粘着剤層１５は印字ラベル２０に残り、第一の粘着剤層１４は印字ラベル２０から剥がれるようにする。
【００１２】
剥離剤には、比較的弱い剥離剤が使用されるが、時間と共に劣化することがない材料が使用される。剥離剤の剥離強度設定に当たっては、第一の粘着剤層１４と第二の粘着剤層１５のバランスによって決定する。
【００１３】
図９の、印字ラベル２０側に残された偽造防止手段形成層１３として、例えば、第二の粘着剤層１５との境界部分にホログラムのような偽造が困難な光回折構造を形成する。
その結果、ラベル基材１１を印字ラベル２０から剥がしたときに、秘匿されるべき印字情報２１と偽造防止手段形成層１３が同時に表出し、秘匿されるべき印字情報２１が本物であることが証明される。
情報保護ラベル１では、図９に示すようにラベル基材１１を印字ラベル２０から一度剥がし、秘匿されるべき印字情報２１を覗き見し、再度偽造防止手段形成層１３の表面に適当な接着剤を塗布して剥離剤層１２と偽造防止手段形成層１３の表出部を再接着した場合は、偽造防止手段形成層１３の部分が脆質材料で構成されているために再度基材を剥がしたときに、偽造防止手段形成層１３が破壊するようになっている。
【００１４】
秘匿されるべき印字情報２１が印字された印字ラベル２０の表面強度が高い場合は、図１に示す積層構成でよいのであるが、印字ラベル２０の秘匿されるべき印字情報２１の印字面の表面強度が低い場合は、図２に示すような情報保護ラベル１０を使用する。
【００１５】
図２と図１０を参照して、他の一例である情報保護ラベル１０の層構成について説明する。
図１０は、図２の情報保護ラベル１０の剥離紙１６を剥がして第三の粘着剤層１８を露出し、印字ラベル２０の秘匿されるべき印字情報２１の上に貼付した後、ラベル基材１１を剥がして、秘匿されるべき情報を外から見える状態にした場合の断面図である。
情報保護ラベル１０は、断面図の上部から、ラベル基材１１，部分剥離剤層１２，偽造防止手段形成層１３，同一平面上に並べて形成された第一の粘着剤層１４及び第二の粘着剤層１５，透過性基材１７，第三の粘着剤層１８，剥離紙１６が積層されている。
図２の情報保護ラベル１０から剥離紙１６を剥がして、図１０に示すように印字ラベル２０に貼付した後、ラベル基材１１を印字ラベル２０から剥がした時に、図１で説明したと同様、偽造防止手段形成層１３が、左右に形成された部分剥離剤層１２の部分でラベル基材１１から剥離して印字ラベル２０側に残り、剥離剤が塗布されていない部分の偽造防止手段形成層１３と、第一の粘着剤層１４を伴って、ラベル基材１１が印字ラベル２０から剥離するようになっている。
その結果、印字ラベル２０には透過性基材１７と第三の粘着剤層１８，さらに、透過性基材１７の上部に第二の粘着剤層１５とその上部に積層された偽造防止手段形成層１３とが残され、秘匿されるべき印字情報２１が第三の粘着剤層１８，透過性基材１７を介して視認可能な状態になる。
このような状態とするために、第三の粘着剤層１８の粘着力を最強とし、図１で説明したと同様、第一の粘着剤層１４の粘着力を第二の粘着剤層１５の粘着力より弱く調整して、第二の粘着剤層１５は透過性基材１７側に残り、第一の粘着剤層１４は透過性基材１７から剥がれるようにする。
【００１６】
図１，図９で説明したように、剥離剤は、比較的弱い剥離剤が使用されるが、時間と共に劣化することがない材料が使用される。剥離剤の剥離強度は、第一の粘着剤層１４と第二の粘着剤層１５のバランスによって決定する。
【００１７】
図１０の、印字ラベル２０側に残された偽造防止手段形成層１３として、例えば、第二の粘着剤層１５との境界部分にホログラムのような偽造が困難な光回折構造を形成すること、および、ラベル基材１１を印字ラベル２０から一度剥がし、秘匿されるべき印字情報２１を覗き見し、再度偽造防止手段形成層１３の表面に適当な接着剤を塗布して剥離剤層１２と偽造防止手段形成層１３の表出部を再接着した場合は、偽造防止手段形成層１３が層間で破壊するように脆質材料で構成する点は図１で説明したことと同様である。
【００１８】
図３を参照して、情報保護ラベルが商品２などに貼付された状態の一例について説明する。図示しないが、印字ラベル２０には、情報保護ラベルが印字ラベルの正確な位置に貼付されるように、情報保護ラベルの貼付位置が印刷されている。
情報保護ラベルを被着体である商品２などに貼付し、商品２の真正性を証明する場合は、秘匿されるべき印字情報２１を一旦印字ラベル２０に印字して印字内容を確認した後、情報保護ラベル１、または、情報保護ラベル１０を、印字ラベル２０の情報保護ラベル貼付位置を確認しながら貼付し、印字ラベル２０を商品２に貼付する。
【００１９】
図４は、図３のＡ−Ａ線断面の一例である。
印字ラベル２０に印字された秘匿されるべき印字情報２１が、第一の粘着剤層１４の位置に一致するように印字ラベル２０の情報保護ラベル貼付位置に情報保護ラベル１が貼付されている。
【００２０】
図５は、図３のＡ−Ａ線断面の他の一例である。
印字ラベル２０に印字された秘匿されるべき印字情報２１が、第一の粘着剤層１４の位置に一致するように印字ラベル２０の情報保護ラベル貼付位置に情報保護ラベル１０が貼付されている。
【００２１】
図６は、被着体である「はがき」３に貼付された情報保護ラベルの一例である。
「はがき」３に印字された秘匿されるべき印字情報（秘匿されるべき情報）３１が、情報保護ラベル１，情報保護ラベル１０の、第一の粘着剤層１４の位置に一致するように情報保護ラベル１，１０が貼付されている。
【００２２】
図７は、図６のＢ−Ｂ線断面の一例である。
「はがき」３に印字された秘匿されるべき印字情報３１が、第一の粘着剤層１４の位置に一致するように情報保護ラベル１が貼付されている。
【００２３】
図８は、図６のＢ−Ｂ線断面の他の一例である。
「はがき」３に印字された秘匿されるべき印字情報３１が、第一の粘着剤層１４の位置に一致するように情報保護ラベル１０が貼付されている。
【００２４】
図４、図７に示す状態からラベル基材１１を剥離すると、図９で説明した内容に準じる状態になる。
また、図５、図８に示す状態からラベル基材１１を剥離すると、図１０で説明した内容に準じる状態になる。
【００２５】
（材料）
図２を参照して、本発明の情報保護ラベルに使用される材料の一例について説明する。
ラベル基材１１として、厚さ５０〜１５０μｍ程度の上質紙，クラフト紙，コート紙，合成紙，ポリエチレンテレフタレート等のプラスチックフィルムから選択して使用する。
部分剥離剤層１２に使用する剥離剤として、紫外線硬化型インキのメジウムにシリコーンオイルを添加したものや、シリコーンアクリレートを添加したもの、また、オフセットインキ以外に通常の白金触媒を利用する熱硬化型剥離インキを使用することもできる。
偽造防止手段形成層１３に使用する脆性材料として、脆質ラベルに使用される、例えば、脆質塩化ビニルを使用しその表面に光回折構造を形成する。光回折構造の表面（第二の粘着剤層側）に金属の薄膜層を蒸着や、スパッタリング法等によって形成する。
第一の粘着剤層１４，第二の粘着剤層１５に使用する粘着剤として、粘着剤に微球を添加したもの（例えば、日本カーバイト社製Ｂ−７５８９）や、粘着剤に硬化剤を添加したもの、例えば、２ＥＨＡ（２エチルヘキシルアクリレート）等のガラス転移温度が低いアクリル樹脂をエマルジョン化したもの等を使用する。
第三の粘着剤層１８に使用する粘着剤は、市販の粘着剤から選択して使用する。
透過性基材１７には、市販のポリエチレンテレフタレートなどの透明プラスチックフィルムや、透明紙を使用する。
また、剥離紙１６としては市販の材料を使用する。
【産業上の利用可能性】
【００２６】
偽造，変造，改竄防止を必要とする製品認証ラベル、キャンペーンラベル等に利用できる。
【図面の簡単な説明】
【００２７】
【図１】情報保護ラベルの層構成の一例について説明するための図である。
【図２】情報保護ラベルの層構成の他の一例について説明するための図である。
【図３】情報保護ラベルが商品などに貼付された状態の一例について説明するための図である。
【図４】図３のＡ−Ａ線断面の一例について説明するための図である。
【図５】図３のＡ−Ａ線断面の他の一例について説明するための図である。
【図６】はがきに貼付された情報保護ラベルの一例について説明するための図である。
【図７】図６のＢ−Ｂ線断面の一例について説明するための図である。
【図８】図６のＢ−Ｂ線断面の他の一例について説明するための図である。
【図９】図４の状態から秘匿されるべき情報を表出した状態について説明するための図である。
【図１０】図５の状態から秘匿されるべき情報を表出した状態について説明するための図である。
【符号の説明】
【００２８】
１，１０  情報保護ラベル
２      商品
３      はがき
１１    ラベル基材
１２    部分剥離剤層
１３    偽造防止手段形成層
１４    第一の粘着剤層
１５    第二の粘着剤層
１６    剥離紙
１７    透過性基材
１８    第三の粘着剤層
２０    印字ラベル
２１，３１  秘匿されるべき印字情報
【図１】
0004629503.tif 000002
【図２】
0004629503.tif 000003
【図３】
0004629503.tif 000004
【図４】
0004629503.tif 000005
【図５】
0004629503.tif 000006
【図６】
0004629503.tif 000007
【図７】
0004629503.tif 000008
【図８】
0004629503.tif 000009
【図９】
0004629503.tif 000010
【図１０】
0004629503.tif 000011